(57)【要約】【課題】電球形蛍光ランプの点灯回路を収納するケース部分を小型にするとともに、点灯回路以外の機能を有した電気回路を具備した電球形蛍光ランプを提供する。【解決手段】電球形蛍光ランプの点灯回路もしくは点灯回路以外の電気回路全部あるいは一部が湾曲した二つあるいはそれ以上の発光管にはさまれた部分に平行に具備され、ケース部分を拡大することのないようにし、回路を収めるケースには電気回路の温度上昇を防ぐとともに電気回路による作用を十分発揮できるように開口部を具備せしめる。【選択図】図２
2004152712.tif 000002
【特許請求の範囲】
【請求項１】
湾曲した二つあるいはそれ以上の透光性気密容器と、この気密容器の管端部に設けられた一対の電極と、上記気密容器内に封入された水銀および希ガスを含む放電媒体と、上記容器内側に蛍光体を塗布してなる発光管と、上記発光管の点灯回路と、少なくとも上記点灯回路を被せるケースと、口金とを具備した電球形蛍光ランプにおいて、上記点灯回路および点灯回路以外の電気回路の全部あるいは一部が、上記複数本の発光管に囲まれた空隙部分に収められていることを特徴とする電球形蛍光ランプ。
【請求項２】
上記点灯回路以外の電気回路は、マイナスイオンを発生させる電気回路を含むことを特徴とする請求項１記載の電球形蛍光ランプ。
【請求項３】
上記の電気回路部分は上記ケースと同じＰＢＴ樹脂などの電気絶縁性の耐熱性合成樹脂材料で造られた円筒形あるいは柱状のケース内に収められていることを特徴とする請求項１または２記載の電球形蛍光ランプ。
【請求項４】
上記円筒形あるいは柱状のケース部分は、外部表面を光反射材で覆われたことを特徴とする請求項１ないし３のいずれか記載の電球形蛍光ランプ。
【請求項５】
上記円筒形あるいは柱状のケース部分は、電気回路の排熱のおよびおよび電気回路が発揮すべき作用を効果的ならしめるための開口部を具備していることを特徴とする請求項１ないし４のいずれか記載の電球形蛍光ランプ。
【請求項６】
湾曲した二つあるいはそれ以上の発光管にはさまれた部分に平行に、全部あるいは一部具備された点灯回路以外の機能を有した上記電気回路の電源は、点灯回路と同様に電球口金ソケットから口金を通じて電力が供給されることを特徴とする請求項１ないし５のいずれか記載の電球形蛍光ランプ。
【発明の詳細な説明】
【０００１】
【発明の属する技術分野】
本発明は電球形蛍光ランプに関するものである。
【０００２】
【従来の技術】
従来の電球形蛍光ランプは、図１を参照して説明すると、電球用口金ソケットに装着し電球用口金ソケットから口金２を通じて発光管３と口金２の間のケース１内に具備されている点灯回路５に電力を供給し、ランプを点灯している。
【０００３】
これら従来の電球形蛍光ランプにおいて、点灯回路以外の機能を有した電気回路をさらに具備せしめると、発光管３と口金２の間のケース１部分に回路を内蔵させようとした場合、ケース部分１が大きくなってしまう問題があった。
【０００４】
【発明が解決しようとする課題】
本発明が解決しようとする課題は、従来において点灯回路を収納していた発光管３と口金２の間のケース１を小型化し、器具への適合率を上げるとともに、ケースを小型化した分、発光管長をより長くして光束を多く得られるようにし、よりコンパクトな電球形蛍光ランプおよび、点灯のための回路以外の付加機能を有する電気回路を具備しながらも、従来の発光管と口金の間のケース部分の大きさを小さく保つことができる電球形蛍光ランプを提供することにある。
【０００５】
【課題を解決するための手段】
上記課題を解決するため、本発明においては発光管と上記発光管の点灯回路と少なくとも上記点灯回路を被せるケースと口金を具備した電球形蛍光ランプにおいて、上記ケースに同じＰＢＴ樹脂などの電気絶縁性の耐熱性合成樹脂材料で造られた円筒形あるいは柱状のケースを具備することで、発光管と口金の間のケース内に具備されていた点灯回路および点灯回路以外の機能を有した電気回路の全体あるいは一部を上記円筒形あるいは柱状のケースに内蔵することで、発光管と口金の間のケースの寸法を小さくするようにした。
【０００６】
【発明の実施の形態】
本発明に係る電球形蛍光ランプの実施例を添付図面を参照しながら以下詳細に説明する。
（実施例１）
図２は本発明の一実施の形態による電球形蛍光ランプを示す。図２において１はＰＢＴ樹脂などの電気絶縁性および耐熱性合成樹脂材料で形成されカバー部で、その一端には電球口金２が取り付けられている。発光管３は湾曲した二つあるいはそれ以上の透光性気密容器からなり、上記容器には水銀および希ガスを含む放電媒体が封入され、容器内壁には蛍光体が塗布されている。
【０００７】
本実施例においては、湾曲した二つあるいはそれ以上の発光管にはさまれたランプ中央部の空間に、発光管に触れることのない円筒形あるいは柱状のケース４を設け、その内部に従来カバー部１に接続するケース内に収納されていた電気回路の少なくとも一部を収納させた。
【０００８】
本実施例によれば、図１のカバー部１を従来よりも小さくすることが可能である。また、カバー部分が小さくなった分、発光管の長さを長くすることができ、発光部分を大きくすることが可能である。
（実施例２）
図３は本発明の他の実施例を示す電球形蛍光ランプである。本実施例において、点灯回路５はカバー１に接続する発光管と口金の間のケース内に収納されている。そして点灯回路以外の効果を発揮する様々な電気回路６またはその一部が、実施例１において記述したような円筒形あるいは柱状のケース４に収納されている。
【０００９】
例えば、上記付加的な電気回路６としてマイナスイオン発生回路を上記ケース４内に収納せしめれば、室内照明と同時にランプ周囲の空気内にマイナスイオンを放出させることで、環境改善効果を得ることができる。
【００１０】
ここで、上記ケース４内の電気回路には、電球口金２からカバー１内のリード線７により供給され、発光管と口金の間のケースを大きくすることのない構造となっている。また、上記ケース４は、電気回路６の放熱と例えばマイナスイオン発生回路によるマイナスイオン放散作用を十分発揮できるように、必要に応じて開口部８を持たせた構造としてもよい。
【００１１】
さらに、上記ケース４の外面には、光反射性の塗布またはメッキ被膜を施すことで、発光管の光を周囲に反射させて明るさを保持ないしは高めることができる。
【００１２】
【発明の効果】
以上に述べたように本発明によれば、湾曲した二つあるいはそれ以上の発光管にはさまれた部分に平行に円筒形あるいは柱状にケースが伸びた形状の内部に点灯回路もしくは点灯のための回路以外の機能を有する電気回路の全部あるいは一部を収納することで、発光管と口金の間のケース部分を大きくすることなくコンパクトで付加機能も具備する電球形蛍光ランプを提供することができる。
【図面の簡単な説明】
【図１】従来の電球形蛍光ランプの側面図。
【図２】本発明の実施例１の電球形蛍光ランプの側面図。
【図３】本発明の実施例２の電球形蛍光ランプの側面図。
【符号の説明】
１…カバー、２…口金、３…発光管、４…円筒形あるいは柱状ケース、５…点灯回路、６…点灯回路以外の機能を有した電気回路、７…付加機能用導線、８…開口部。
【図１】
2004152712.tif 000003
【図２】
2004152712.tif 000004
【図３】
2004152712.tif 000005